(57)【要約】【課題】自然で理想的な歩行動作を支援して各種の足の障害の発生を防止する。【解決手段】靴中敷１は、可撓性のある表面シート２の裏面に少なくとも踵骨から指骨の基節骨に至る領域に対応させて支持基板３が貼設されて成る。支持基板３は、踵骨から中足骨に至る領域に対応させる後部基板３０と、中足骨から指骨の基節骨に至る領域に対応させる前部基板３１とから成り、前部基板３１の親指の中足趾節関節に対応する領域に切欠部６が形成されている。【選択図】図２
2006305310.tif 000002
【特許請求の範囲】
【請求項１】
可撓性のある表面シートの裏面に少なくとも踵骨から指骨の基節骨に至る領域に対応させて支持基板が貼設されて成り、前記支持基板の少なくとも親指の中足趾節関節に対応する領域に切欠部が形成されて成る靴中敷。
【請求項２】
前記支持基板は、踵骨から中足骨に至る領域に対応させる後部基板と、中足骨から指骨の基節骨に至る領域に対応させる前部基板とから成り、前記前部基板の親指の中足趾節関節に対応する領域に切欠部が形成されている請求項１に記載された靴中敷。
【請求項３】
前記前部基板は、上面が内側から外側へ低く傾斜する傾斜面に形成されている請求項２に記載された靴中敷。
【請求項４】
前記切欠部は、前記支持基板の内側縁が切り欠かれたものである請求項１または３に記載された靴中敷。
【請求項５】
前記切欠部には、弾性材より成る第２の支持基板が設けられている請求項１，２，４のいずれかに記載された靴中敷。
【請求項６】
前記切欠部は、前記支持基板の内側縁から前端縁にわたって切り欠かれたものである請求項１または２に記載された靴中敷。
【請求項７】
前記切欠部は、前記支持基板の内側縁から前端縁にわたって切り欠かれたものであり、前記表面シートの裏面には、指骨の基節骨から爪先に至る領域と切欠部とに対応させてシート状の弾性材が貼設されるとともに、前記弾性材の親指の指骨に対応する部分には他の領域より肉厚が厚い厚肉部が形成されている請求項１または２のいずれかに記載された靴中敷。
【発明の詳細な説明】
【技術分野】
【０００１】
この発明は、靴やサンダルなどの履物に用いられる靴中敷に関し、特に、自然な歩行を支援して、外反母趾などの足の障害の発生を防止し得る靴中敷に関する。
【背景技術】
【０００２】
従来、靴中敷は、靴やサンダルの中底面上に敷いて通気性を良好とするなど、履き心地の向上をはかる目的で使用されている。その種の靴中敷に加えて、表面に突起を設けて足裏を刺激する健康増進用の靴中敷、表面を傾斜させるなどして外反足や内反足などを矯正する矯正・治療用の靴中敷などが提案されている。
【０００３】
一般に身体各部の運動は、３つの主要な身体面、すなわち、身体を左半身と右半身とに分割する矢状面、前半身と後半身とに分割する前額面、上半身と下半身とに分割する水平面とに分けて説明される。例えば、矯正・治療用の靴中敷として、踵部の内側または外側が高くなるような傾斜を設けたものや、前足部の小指から親指にかけて傾斜をつけたものなどがあるが、いずれも足の前額面から見た踵部や前足部の歪みをコントロールする方式のものである（例えば、特許文献１参照）。また、足の矢状面から見た足の歪みをコントロールするのに、前足部に対する踵部の高さを調節するなどの方法も用いられている。
【０００４】
【特許文献１】特許第３２３９３３４号公報
【発明の開示】
【発明が解決しようとする課題】
【０００５】
ところで、人間の歩行のメカニズムは、まず、足の踵が着地し（接床期）、その後、踵部に掛かった重心が前足部へ移動するとともに、第５中足骨の骨頭部から第１中足骨の骨頭部へ移動して安定した立位となり（立脚中期）、その後、中足趾節関節が反るような形態（背屈位）で、主として第１中足骨の骨頭部（親指球）を支点として床面を蹴り上げて離床するものである（離床期）。この歩行のメカニズムに沿った理想的な歩行が行われることで、身体各部への負担が少なくなり、種々の障害の発生を防止することができる。
【０００６】
しかし、腓腹筋やヒラメ筋が短い、足の関節が硬いなどの理由によって特に親指が曲がりにくい人の場合、前記した離床期において、親指部分の背屈が力強くかつ円滑に行われ難いため、特に足底筋へ無理な負担がかかり、外反母趾、アキレス腱炎、足底腱膜や親指の魚の目や胼胝などの障害を招くおそれがある。かかる技術課題は、足の前額面や矢状面から見た足の歪みをコントロールする前記した従来の靴中敷だけでは解決できない場合がある。
【０００７】
この発明は、上記した問題に着目してなされたもので、自然で理想的な歩行動作を支援することによって、各種の足の障害の発生を防止できる靴中敷を提供することを目的とする。
【課題を解決するための手段】
【０００８】
この発明による靴中敷は、可撓性のある表面シートの裏面に少なくとも踵骨から指骨の基節骨に至る領域に対応させて支持基板が貼設されて成るものであり、前記支持基板の少なくとも親指の中足趾節関節に対応する領域に切欠部が形成されている。
【０００９】
上記した構成の靴中敷上に足を載せると、支持基板によって後足部および前足部が支持されるが、親指の中足趾節関節は切欠部の位置で沈み込むので、親指部分の背屈、すなわち、第１中足趾節関節の反りが支援されて第１中足骨の骨頭部による床面の蹴り上げが力強くかつ円滑に行われる。これと連動して第２〜第４中足趾節関節から第２〜第４指骨の背屈も円滑に行われる。これにより立脚中期から離床期までの足の運動が理想的に行われ、自然な歩行動作が実現される。その結果、足の各部へ無理な負担がかからず、特に足底筋に対するストレスが大幅に改善され、外反母趾、アキレス腱炎、足底腱膜や親指の魚の目や胼胝などの障害を引き起こすことがない。
【００１０】
この発明の上記した構成において、「表面シート」は人工皮革などを用いて靴の中底面の外形に対応する形状に形成されるものであるが、可撓性のある素材であれば人工皮革に限られるものではない。
【００１１】
前記支持基板は、足裏全体を支える形態のものであってもよいが、望ましくは、踵骨の位置から第１〜第５指骨の基節骨に至る領域のみを支え、第１〜第５指骨の末節骨や第２〜第５指骨の中足骨は拘束しないような形態とする。
また、前記支持基板は、全体でひとつのものであってもよく、踵骨を中心とする後足部を支える部分と前足部の中足骨から指骨の末節骨に至る領域を支える部分とに分かれたものであってもよい。
【００１２】
この発明の好ましい実施態様においては、前記支持基板は、踵骨から中足骨に至る領域に対応させる後部基板と、中足骨から指骨の基節骨に至る領域に対応させる前部基板とから成り、前記前部基板の親指の中足趾節関節に対応する領域に切欠部が形成されている。
前記後部基板は、主として後足部の踵骨および距骨下関節を支持するためのもので、例えば硬質プラスチックのような可撓性のない材料を用いて形成される。前記前部基板は、前足部を支持するとともに、内反や外反に対する矯正を行うためのもので、比較的硬いクッション材、例えばエチレン−酢酸ビニル共重合体（ＥＶＡ）のような多孔質樹脂を用いて形成される。
なお、支持基板を全体でひとつの部材で構成する場合は、硬質プラスチックのような曲撓性のない素材で構成することもでき、ＥＶＡのような比較的硬いクッション材で構成することもできる。
【００１３】
前記前部基板は、上面が内側から外側へ低く傾斜する傾斜面に形成してもよく、これにより内反や外反に対する前足部の矯正を行う。ここで、「内側から外側へ低く傾斜する傾斜面」の「外側」とは、両足を揃えて立ったとき、左足についていえば右足と反対側を、右足についていえば左足と反対側を、それぞれ意味している。したがって、左足側の靴中敷は、右足側が高く右足と反対側が低い傾斜面を有し、一方、右足側の靴中敷は、左足側が高く左足と反対側が低い傾斜面を有する。因みに、左右の足が対向する側は上記の「外側」に対して「内側」である。
【００１４】
前記切欠部は、種々の態様が考えられ、前記支持基板の内側縁が切り欠かれたものであってもよく、前記支持基板の内側縁から前端縁にわたって切り欠かれたものであってもよい。切欠部に親指の中足趾節関節だけを部分的に対応させる場合は支持基板の内側縁を切り欠き、親指の中足趾節関節とその先の領域を対応させる場合は支持基板の内側縁から前端縁にわたって切り欠くとよい。
また、前記切欠部は、切り欠かれたままの空洞の状態であってもよいが、切欠部に弾性材より成る第２の支持基板を設けてもよい。この実施態様によると、靴中敷上に足を載せたとき、第２の支持基板が圧縮されて変形するので、親指の中足趾節関節は第２の支持基板を設けない場合と同様、切欠部へ沈み込む。
【００１５】
この発明の好ましい実施態様においては、前記切欠部が前記支持基板の内側縁から前端縁にわたって切り欠かれたものである場合に、前記表面シートの裏面には、指骨の基節骨から爪先に至る領域と切欠部とに対応させてシート状の弾性材が貼設されるとともに、前記弾性材の親指の指骨に対応する部分には他の領域より肉厚が厚い厚肉部が形成されている。この実施態様においては、前記厚肉部の存在によって歩行時における親指部分の背屈機能が一層高められるので、離床期の運動が円滑となり、歩行運動が一層円滑に行うことができる。
【発明の効果】
【００１６】
この発明によると、自然で理想的な歩行動作を支援することができる。その結果、足の各部へ無理な負担がかかるのを防止でき、特に足底筋に対するストレスが大幅に改善され、外反母趾、アキレス腱炎、足底腱膜や親指の魚の目や胼胝などの障害の発生を防止できる。
【発明を実施するための最良の形態】
【００１７】
図１は、この発明の一実施例である靴中敷１の外形（一点鎖線で示す。）を足２０の骨格とともに示している。また、図２は、靴中敷１を裏面より見た外観を、図３は、靴中敷１を側面から見た外観を、それぞれ示している。なお、図示の靴中敷１は右足用であるが、左足用についても同様の構成であり、ここでは図示並びに説明を省略する。
【００１８】
図示例の靴中敷１は、可撓性のある柔軟な表面シート２の裏面に可撓性のない支持基板３が貼設されたものである。この実施例の表面シート２は人工皮革をもって靴の中底面の外形に沿う形状に形成されているが、荷重を受けて適度に撓む柔軟なものであれば、表面シート２の材質は問わない。
【００１９】
前記支持基板３は、足２０の踵骨２７から第１〜第５中足骨２６ａ〜２６ｅに至る領域に対応する大きさおよび形状に形成された後部基板３０と、第１〜第５中足骨２６ａ〜２６ｅから第１〜第５指骨２１ａ〜２１ｅの基節骨２２ａ〜２２ｅに至る領域に対応する大きさおよび形状に形成された前部基板３１とで構成されており、後部基板３０の前端縁３０Ｂ上に前部基板３１の後端縁３１Ｃが連接されて支持基板３が形成されている。
この実施例では、後部基板３０は硬質のプラスチック板により形成され、前部基板３１はエチレン−酢酸ビニル共重合体（ＥＶＡ）を用いて形成されているが、荷重を受けても容易に撓まないものであれば、後部基板３０および前部基板３１の材質は問わない。
【００２０】
前記前部基板３１の前端縁３１Ｂは第２〜第５指骨２１ｂ〜２１ｅの基節骨２２ｂ〜２２ｅ上に位置するもので、第２〜第５指骨２１ｂ〜２１ｅの末節骨２３ｂ〜２３ｅや中節骨２４ｂ〜２４ｅは前部基板３１の前端縁３１Ｂよりはみ出ている。表面シート２の裏面の後述する切欠部６と、前記基節骨２２ａ〜２２ｅから爪先に至る領域には軟質でシート状の弾性材より成るトップカバー９が貼設されている。
また、前記後部基板３０上の踵部位置には、表面に滑止め用の多数の刻み目５が形成された滑止め板４が貼設されている。
【００２１】
前記支持基板３の親指の中足趾節関節２５ａに対応する領域には切欠部６が形成されている。
この実施例の前記切欠部６は、支持基板３の前部基板３１をその内側縁３１Ａから前端縁３１Ｂにわたって第１中足骨２６ａの骨頭部、親指の中足趾節関節２５ａ、および第１指骨２１ａの基節骨２２ａに対応する領域を切り欠いて形成されたものであり、靴中敷１上に足を載せたとき、図３に示すように、親指の中足趾節関節２５ａが沈み込むようになっている。なお、図１において、２５ｂ〜２５ｅは第２〜第５中足趾節関節である。
【００２２】
前記支持基板３の前部基板３１は、図４に示すように、上面が内側から外側へ低く傾斜する傾斜面７に形成されている。前記切欠部６は傾斜面７の高位置側にあるので、切欠部６の位置で段差が生じ、表面シート２が足の荷重を受けて図中一点鎖線で示すように下方へ撓むことにより、親指の中足趾節関節２５ａが切欠部６内に沈み込む。
【００２３】
この実施例の切欠部６は空洞の状態になっているが、図５に示すように、切欠部６に柔軟な弾性材より成る第２の支持基板８をはめ込むようにしてトップカバー９の裏面に貼設してもよい。前記弾性材としてポリウレタン樹脂を組成とした発泡体、すなわち、低反発弾性ウレタンフォームを用いて構成しているが、これに限られるものではない。前記の低反発弾性ウレタンフォームは、弾性と粘性とを併せ持つものであり、圧縮後ゆっくりとした復元性を有している。第２の支持基板８に足の荷重がかかると、図中一点鎖線で示すように、第２の支持基板８が切欠部６内で圧縮変形するので、親指の中足趾節関節２５ａが切欠部６に沈み込む。
【００２４】
図６〜図８は、靴中敷１の他の実施例を示すもので、図６は靴中敷１の外形（一点鎖線で示す。）を足２０の骨格構造とともに示している。図７は靴中敷１を裏面より見た外観を、図８は靴中敷１を側面より見た外観を、それぞれ示している。
この実施例の支持基板３も後部基板３０と前部基板３１とで構成されている。なお、後部基板３０および前部基板３１の材質は第１の実施例と同様である。また、表面シート２の裏面の基節骨２２ａ〜２２ｅから爪先に至る領域には軟質でシート状の弾性材より成るトップカバー９が貼設され、さらに後部基板３０上の踵部位置には滑止め板４が貼設されている。
【００２５】
この実施例の支持基板３は、前部基板３１の親指の中足趾節関節２５ａに対応する領域を、内側縁３１Ａを切り欠いて形成された切欠部６を備えている。この靴中敷１上に足を載せたとき、図８に示すように、表面シート２が撓んで親指の中足趾節関節２５ａがこの切欠部６内に沈み込む。
前部基板３１は、図９に示すように、上面が内側から外側へ低く傾斜する傾斜面１１に形成されている。前記切欠部６は傾斜面１１の高位置側にあるので、切欠部６の位置で段差が生じ、表面シート２が足の荷重を受けて図中一点鎖線で示すように下方へ撓むことにより、親指の中足趾節関節２５ａが切欠部６内に沈み込む。
【００２６】
この実施例の切欠部６は空洞の状態になっているが、図１０に示すように、切欠部６に柔軟な弾性材より成る第２の支持基板８をはめ込むようにして表面シート２の裏面に貼設してもよい。前記弾性材としてポリウレタン樹脂を組成とした発泡体、すなわち、低反発弾性ウレタンフォームを用いて構成しており、第２の支持基板８に足の荷重がかかると、図中一点鎖線で示すように、第２の支持基板８が切欠部６内で圧縮変形するので、親指の中足趾節関節２５ａが切欠部６に沈み込む。
【００２７】
図１１および図１２は、靴中敷１のさらに他の実施例を示している。図１１には靴中敷１の外形（一点鎖線で示す。）が足２０の骨格構造とともに示してある。また、図１２には靴中敷１を裏面より見た外観が示してある。
図示例の靴中敷１は、可撓性のある柔軟な表面シート２の裏面に支持基板３が貼設されている。前記表面シート２は、人工皮革などの柔軟な材料をもって靴の中底面の外形に沿う形状に形成されている。
【００２８】
前記支持基板３は、足２０の踵骨２７から第２〜第５指骨２１ｂ〜２１ｅの基節骨２２ｂ〜２２ｅに至る領域に対応する大きさおよび形状に形成されており、支持基板３の親指の中足趾節関節２５ａに対応する領域には切欠部６が形成されている。
この実施例の前記切欠部６は、支持基板３をその内側縁３１Ａから前端縁３１Ｂにわたって第１中足骨２６ａの骨頭部、親指の中足趾節関節２５ａ、および第１指骨２１ａの基節骨２２ａに対応する領域を切り欠いて形成されたものであり、靴中敷１上に足を載せたとき、親指の中足趾節関節２５ａが沈み込むようになっている。
【００２９】
この実施例では、支持基板３は硬質のプラスチック板により形成されており、第２〜第５中足骨２６ｂ〜２６ｅの骨頭部から第２〜第５脂骨２１ｂ〜２１ｅの基節骨２２ｂ〜２２ｅに対応する領域Ｓは撓み易くするために薄い肉厚に形成され、その他の領域は荷重を受けても容易に撓まないように厚い肉厚に形成されている。
【００３０】
前記表面シート２の裏面には、前記支持基板３が貼設された領域以外の領域、すなわち、第２〜第５指骨２１ｂ〜２１ｅの基節骨２２ｂ〜２２ｅから爪先に至る領域と切欠部６とに対応させて軟質でシート状の弾性材より成るトップカバー９が貼設されている。前記弾性材としてポリウレタン樹脂を組成とした発泡体、すなわち、低反発弾性ウレタンフォームを用いて構成しているが、これに限られるものではない。
前記トップカバー９の内面には、親指の指骨２１ａに対応する領域に、図１３に示すように、トップカバー９と同じ材質のシート状の弾性材１２が貼付され、これにより部分的に厚い厚肉部１５が形成されている。
【００３１】
前記支持基板３の踵部位置には、円形の貫通孔１３が形成されるとともに、この貫通孔１３には円板状の踵支持板１４が嵌め込まれて表面シート２に接合されている。前記踵支持板１４は、足の踵を支持するためのもので、この踵支持板１４としてトップカバー９と同じ材質の弾性材が用いてある。踵支持基板１４は足の荷重により踵の形状に沿って貫通孔１３内で圧縮変形するので、踵は貫通孔１３内に嵌った状態で安定支持される。
【００３２】
上記した構成の靴中敷１上に足を載せると、親指の中足趾節関節２５ａが支持基板３の切欠部６の位置で沈み込むので、親指部分の背屈、すなわち、第１中足趾節関節２５ａの反りが支援されて第１中足骨２６ａの骨頭部による床面の蹴り上げが力強くかつ円滑に行われる。特に、厚肉部１５を有する第３実施例では、前記厚肉部１５の存在によって歩行時における親指部分の背屈機能が一層高められているので、離床期の運動が円滑となり、歩行運動が一層円滑に行い得る。これと連動して第２〜第４中足趾節関節２５ｂ〜２５ｄから第２〜４指骨２１ｂ〜２１ｄの背屈も円滑に行われる。これにより立脚中期から離床期までの足の運動が理想的に行われ、自然な歩行動作が実現される。その結果、足の各部へ無理な負担がかからず、外反母趾、アキレス腱炎、アキレス腱炎、足底腱膜や親指の魚の目や胼胝などの障害を引き起こすことがない。
【図面の簡単な説明】
【００３３】
【図１】この発明の一実施例である靴中敷の外形を足の骨格とともに示した平面図である。
【図２】図１の実施例の背面図である。
【図３】図１の実施例の側面図である。
【図４】図１のＡ−Ａ線に沿う断面図である。
【図５】他の実施例における図１のＡ−Ａ線に沿う断面図である。
【図６】この発明の他の実施例の外形を足の骨格とともに示した平面図である。
【図７】図６の実施例の背面図である。
【図８】図６の実施例の側面図である。
【図９】図６のＢ−Ｂ線に沿う断面図である。
【図１０】他の実施例における図６のＢ−Ｂ線に沿う断面図である。
【図１１】この発明の他の実施例の外形を足の骨格とともに示した平面図である。
【図１２】図１１の実施例の背面図である。
【図１３】図１１のＣ−Ｃ線に沿う断面図である。
【符号の説明】
【００３４】
１    靴中敷
２    表面シート
３    支持基板
６    切欠部
８    第２の支持基板
９    十婦カバー
１２  弾性材
１５  厚肉部
２０  足
２５ａ  親指の中足趾節関節
３０  後部基板
３１  前部基板
【図１】
2006305310.tif 000003
【図２】
2006305310.tif 000004
【図３】
2006305310.tif 000005
【図４】
2006305310.tif 000006
【図５】
2006305310.tif 000007
【図６】
2006305310.tif 000008
【図７】
2006305310.tif 000009
【図８】
2006305310.tif 000010
【図９】
2006305310.tif 000011
【図１０】
2006305310.tif 000012
【図１１】
2006305310.tif 000013
【図１２】
2006305310.tif 000014
【図１３】
2006305310.tif 000015